(57)【特許請求の範囲】
【請求項１】
揺動開閉するドア（２）正面又は該ドア（２）のドア枠（３）正面のいずれか一方に、後付け可能にするアタッチメント（７）を介して設けられていて、ドア（２）の開動を阻止するロック位置と開動を許容するアンロック位置との間でロック動作及びアンロック動作するロック部材（１６）と、該ロック部材（１６）のアンロック動作を制限する施解錠部（１７）とを有しており、
該施解錠部（１７）は、キーを差し込んだ差込部（２３）を回動操作することで差込部（２３）に対して移動するように前記ロック部材（１６）が備えられていて、
前記ロック部材（１６）を、前記ドア（２）正面側及びドア枠（３）正面側でロック位置へ移動させて施錠し、アンロック位置へ移動させて解錠し、
前記ロック部材（１６）及び施解錠部（１７）のケーシング（２１）を、前記アタッチメント（７）にドア（２）又はドア枠（３）側から固定していることを特徴とするドア錠。
【請求項２】
前記ロック部材（１６）は、前記ケーシング（２１）に対してロック動作自在に支持されており、該ロック部材（１６）をロック位置へとロック動作したとき、該ロック部材（１６）をケーシング（２１）に対して直接的に係合することでその姿勢を保持する保持手段（７３）を備えていることを特徴とする請求項１に記載のドア錠。
【請求項３】
前記ロック部材（１６）は、前記ケーシング（２１）に対して揺動自在に支持され、且つ揺動することによってケーシング（２１）から突出したロック位置とケーシング（２１）内に収まったアンロック位置との間でロック動作可能であり、
前記施解錠部（１７）は、前記ロック部材（１６）を揺動動作させるとともに、揺動方向とは異なる方向の動作をさせることによって前記保持手段（７３）を機能させる動作機構（３１）を有していることを特徴とする請求項２に記載のドア錠。
【請求項４】
前記ロック部材（１６）は、ロック位置にあるときもアンロック位置にあるときもカバー部材（５６）に覆われて、外部から見えない構造になっていることを特徴とする請求項１乃至請求項３のいずれかに記載のドア錠。
【請求項５】
揺動開閉するドア（２）正面又は該ドア（２）のドア枠（３）正面のいずれか一方に、後付け可能にするアタッチメント（７）を介して設けられていて、ドア（２）の開動を阻止するロック位置と開動を許容するアンロック位置との間でロック動作及びアンロック動作するロック部材（１６）と、該ロック部材（１６）のアンロック動作を制限する施解錠部（１７）とを有しており、
前記ロック部材（１６）は、ケーシング（２１）に対して揺動自在に支持され、
前記施解錠部（１７）は、キーを差し込んだ差込部（２３）を回動操作することで差込部（２３）に対して移動するようにブレーキ片（３６）が備えられていて、
該ブレーキ片（３６）が移動してロック部材（１６）のロック位置からアンロック位置への揺動を阻止する状態と許容する状態とに切り替わり、前記ブレーキ片（３６）のロック部材（１６）の揺動許容時に、前記ロック部材（１６）を、前記ドア（２）正面側及びドア枠（３）正面側でロック位置へ揺動させて施錠し、アンロック位置へ揺動させて解錠していることを特徴とするドア錠。
【請求項６】
前記ロック部材（１６）に対して施解錠部（１７）が一体的に組み込まれており、ロック部材（１６）のロック動作と一緒に施解錠部（１７）が動作することで、前記差込部（２３）が解錠時に外部から見えない状態に隠される構造になっていることを特徴とする請求項５に記載のドア錠。
【発明の詳細な説明】
【０００１】
【発明の属する技術分野】
本発明は、ドア錠に関するものである。
【０００２】
【従来の技術】
一般に、出入口のドア、殊に玄関ドア等には、キーを差し込んで施錠や解錠を操作するドア錠が設けられているが、最近では空き巣等がこのドア錠を不正に解錠してしまうピッキングの被害が問題視されている。
そこで、ドアにおいて元から設けられているドア錠とは別に、例えば特開平９−１００６６５号公報等に記載の錠装置を補助錠として（即ち、元から設けられているドア錠を本錠とする）併用して、ドアを２重ロックにすることが考えられている。
【０００３】
上記公報記載の錠装置は、ドア枠側に錠受け部保持片（いわゆるブラケット）を取り付けておき、ドアを閉じた状態でこの錠受け部保持片に施錠部材（ドアの開動を邪魔するストッパ）を取り付けることで施錠状態とし、また、錠受け部保持片から施錠部材を外すことで解錠状態とするものであった。
施錠部材には、キーを差し込む鍵穴が設けられ、この鍵穴へキーを差し込んでロック操作することで、この施錠部材が錠受け部保持片から外れるか外れないかを切り替えられるようになっている。
【０００４】
【発明が解決しようとする課題】
上記公報記載の錠装置では、解錠時に施錠部材を錠受け部保持片から外すものであるから、外した後の施錠部材の収納に困り、これが施錠部材の紛失に繋がるということがあった。
また、錠受け部保持片は、ドア枠側からその正面方向へ向けて真っ直ぐに突出したものであり、この錠受け部保持片に対してその側面に施錠部材を取り付けていたので、結果として、この施錠部材の鍵穴は、ドアに正対する使用者にとって横向きになる（即ち、キーの差込方向がドア正面の面方向に沿ったものとなる）ということがあった。
【０００５】
従って、キーの差し込みが面倒であると共に、キーを回動させて行うロック操作も、手がドア面等にぶつかって、非常にやりにくいということがあった。
更に、施錠時にはドアの外側に施錠部材が露出するので、施錠状態が明らかとなり、このことが留守であることを表示していることにも繋がって、却って空き巣等に狙われ易くなるということがあった。
【０００６】
本発明は、上記事情に鑑みてなされたものであって、使用に際して煩わしさや不便性を払拭することのできるドア錠を提供することを目的とする。
また、本発明は、施錠状態にあるか解錠状態にあるかが外から判りにくくし、また悪戯等されにくい構造としたドア錠を提供することを目的とする。
また、本発明は、ロック位置にあるロック部材を強固に保持することで、ロック部材を無理矢理にこじ開けることができないようにし、施錠効果の向上を図ったドア錠を提供することを目的とする。
【０００７】
【課題を解決するための手段】
前記目的を達成するために、本発明は次の手段を講じた。
即ち、本発明に係るドア錠の特徴は、第１に、揺動開閉するドア正面又は該ドアのドア枠正面のいずれか一方に、後付け可能にするアタッチメントを介して設けられていて、ドアの開動を阻止するロック位置と開動を許容するアンロック位置との間でロック動作及びアンロック動作するロック部材と、該ロック部材のアンロック動作を制限する施解錠部とを有しており、
該施解錠部は、キーを差し込んだ差込部を回動操作することで差込部に対して移動するように前記ロック部材が備えられていて、
前記ロック部材を、前記ドア正面側及びドア枠正面側でロック位置へ移動させて施錠し、アンロック位置へ移動させて解錠し、
前記ロック部材及び施解錠部のケーシングを、前記アタッチメントにドア又はドア枠側から固定していることを特徴とする。
【０００８】
第２に、前記ロック部材は、前記ケーシングに対してロック動作自在に支持されており、該ロック部材をロック位置へとロック動作したとき、該ロック部材をケーシングに対して直接的に係合することでその姿勢を保持する保持手段を備えていることを特徴とする。
第３に、前記ロック部材は、前記ケーシングに対して揺動自在に支持され、且つ揺動することによってケーシングから突出したロック位置とケーシング内に収まったアンロック位置との間でロック動作可能であり、
前記施解錠部は、前記ロック部材を揺動動作させるとともに、揺動方向とは異なる方向の動作をさせることによって前記保持手段を機能させる動作機構を有していることを特徴とする。
【０００９】
第４に、前記ロック部材は、ロック位置にあるときもアンロック位置にあるときもカバー部材に覆われて、外部から見えない構造になっていることを特徴とする。
第５に、揺動開閉するドア正面又は該ドアのドア枠正面のいずれか一方に、後付け可能にするアタッチメントを介して設けられていて、ドアの開動を阻止するロック位置と開動を許容するアンロック位置との間でロック動作及びアンロック動作するロック部材と、該ロック部材のアンロック動作を制限する施解錠部とを有しており、
前記ロック部材は、ケーシングに対して揺動自在に支持され、
前記施解錠部は、キーを差し込んだ差込部を回動操作することで差込部に対して移動するようにブレーキ片が備えられていて、
該ブレーキ片が移動してロック部材のロック位置からアンロック位置への揺動を阻止する状態と許容する状態とに切り替わり、前記ブレーキ片のロック部材の揺動許容時に、前記ロック部材を、前記ドア正面側及びドア枠正面側でロック位置へ揺動させて施錠し、アンロック位置へ揺動させて解錠していることを特徴とする。
【００１０】
第６に、前記ロック部材に対して施解錠部が一体的に組み込まれており、ロック部材のロック動作と一緒に施解錠部が動作することで、前記差込部が解錠時に外部から見えない状態に隠される構造になっていることを特徴とする。
また、本発明に係るドア錠の技術的手段は、揺動開閉するドア又はこのドアのドア枠のいずれか一方に設けられるものであって、ドアの開動を阻止するロック位置と開動を許容するアンロック位置との間でロック動作するロック部材と、このロック部材のロック動作を必要に応じて制限する施解錠部とを有している。
【００１１】
なお、本発明に係るドア錠は、出入口のドアに限定されるものではなく、ポストやロッカー等を含む家具類及び冷蔵庫等の電化製品類に設けられるドア等、揺動によって開口部の開閉をするもの全てのドアを含めるものとする。また、揺動開閉式の窓や蓋、覆い板等も、このドアの範疇に含めるものとする。
また、本発明に係るドア錠は、原則として、本錠が別にあることを前提にした補助錠であることや、ドア又はドア枠に対して後付けすることなどが限定されるものではない。
【００１２】
従って例えば、このドア錠自体を本錠として使用することや、当初からドア又はドア枠に一体的に組み込む構造にすること等も可能である。
本発明に係るドア錠は、ドア又はドア枠に対して機械加工無しで後付け可能にするアタッチメントを介して取付可能とすれば、補助錠としての実施が容易であり、また汎用性、流通性等を高められる。
【００１３】
また、ドアやドア枠における取付位置（主に高さ方向）を任意に設定できるので、このドア錠を目立つ存在としてピッキングの意欲自体を剥奪する効果を期待することや、反対に、目立たない存在としてピッキングを手こずらせる効果を期待すること等、必要に応じた対応を自在に選択できる利点もある。
施解錠部は、キーを差し込んでのキー操作で施錠と解錠との切替操作を行うものとするのが好適である。この場合、キーを受ける差込部は、少なくとも操作時点で操作者側を指向するように設けるのがよい（すなわち、操作のたびに、差込部を所定角度へ向ける構造でもよいし、当初から所定角度に固定しておく構造でもよい）。
【００１４】
施解錠部の差込部は、解錠時には外部から見えない状態に隠すことのできる構造にしておくのが好適とされる。
このようにすると、少なくとも解錠時においてドア錠としての存在を隠せるので、いたずら防止等に役立つ利点がある。
ロック部材に対して施解錠部が一体的に組み込まれた構造とすることができる。この場合、ロック部材のロック動作と一緒に施解錠部が動作することになる。
【００１５】
そこで、解錠時には、施解錠部の差込部が外部から見えない状態に隠される構造にしておくのが好適とされる。
このようにすると、少なくとも解錠時においてドア錠としての存在を隠せるので、いたずら防止等に役立つ利点がある。
ロック部材は、ロック位置にあるときもアンロック位置にあるときもカバー部材に覆われて、外部から見えない構造にしておくこともできる。
【００１６】
このようにすると、施錠状態か解錠状態かが判らないため、結果として、留守であるか在宅中であるかの判断に繋がらないという利点がある。
ロック部材は、ケーシングに対してロック動作自在に支持されたものとし、このロック部材をロック位置へとロック動作したときに、該ロック部材をケーシングに対して直接的に係合させることでその姿勢を保持する保持手段を備えた構成とするのが好適である。
【００１７】
これによってロック部材を工具等を用いて無理矢理に解錠方向へとこじ開けようとしても容易に解錠することができなくなり、施錠効果をより高めることが可能となる。
更にこの場合には、ロック部材を、前記ケーシングに対して揺動自在に支持し、且つ揺動することによってケーシングから突出したロック位置とケーシング内に収まったアンロック位置との間でロック動作可能に構成し、施解錠部として、ロック部材を揺動動作させるとともに、揺動方向とは異なる方向の動作をさせることによって保持手段を機能させる動作機構を有した構成とするのが好適である。
【００１８】
このような動作機構を備えることによって、ロック部材を揺動動作させる機構と、保持手段を機能させるための機構とを別々に備える必要もなく、構造の簡素化が図れるようになる。
【００１９】
【発明の実施の形態】
以下、本発明の実施の形態を、図面に基づき説明する。
図１乃至図６は、本発明に係るドア錠１の第１実施形態を示している。
図６に示すように、このドア錠１は、揺動開閉するドア２を保持するドア枠３のうちドア２の把手４に近い方の縦桟５に対して、ドア２が開閉する側（図例では外開きドアを示しているために室外側（図６下側）とした）に設けられている。
【００２０】
なおドア枠３は、左右一対の縦桟５と、これら縦桟５の上端間や下端間を連結する横桟（図示略）とで組みされた木製又は金属製の枠体となっているのが普通であるが、必ずしもこのような構造に限定されるものではなく、要は、ドア２の揺動開閉を保持できる構造であればよいものである。
図１に示すように、ドア枠３の縦桟５に対するドア錠１の取り付けには、アタッチメント７が用いられている。
【００２１】
このアタッチメント７は、縦桟５の内外方向（図１の上下方向）太さを外嵌可能に曲げられた金属プレート８に対して、その一端側（室外側）にドア錠１の取付部９が設けられ、またこの取付部９とは反対側（室内側）に縦桟５へ向けて螺進可能なクランプネジ１０が設けられたものである。
クランプネジ１０は、なるべく取付部９に対応する位置付けとするのが好適であるが、縦桟５の太さに応じて位置調節自在（二点鎖線参照）にしてもよい。
【００２２】
金属プレート８は、縦桟５におけるドア枠３内方側の断面形状に沿って曲げられ、ドア２とドア枠３とのクリアランスに納まってドア２の閉止状態を邪魔することがないものとされている。１１は、ガタつき防止ネジである。
また、上記取付部９は、ドア錠１が、ドア２の正面に立った操作者側を指向する状態となるために（詳細は後述する）傾斜して形成されている。
【００２３】
このアタッチメント７に対し、ドア錠１は、取付部９の裏側から例えばネジ１２を用いたネジ止めをはじめとして、リベット止め、カシメ止め、接着等によって固定されている。
このようなアタッチメント７を用いることから、ドア枠３にドア錠１を取り付けるのに、ドア枠３に対して孔開けとかネジのねじ込みとかの機械加工は一切不要であり、後付けや必要に応じての取り外しが可能になっている。また、ドア枠３に対するドア錠１の取付高さは、任意に設定できるものとされている。
【００２４】
図２に示すように、このドア錠１は、ケーシング２１とロック部材１６と施解錠部１７とを有し、ロック部材１６は、ドア２の開動を阻止するロック位置と、ドア２の開動を許容するアンロック位置との間でロック動作するものである。
ロック部材１６は、略直方体のブロックの両端部を円弧状に丸めた形状とされ、その一端部の前後両側面には支点軸２０が突設され、他端部の一側面（ドア２に対向する側）には、ゴム等の弾性材によって形成されたドア受け部材６９が設けられている。このドア受け部材６９によって、ドア２がロック部材１６に当接したとしても該ドア２を傷つけることがないようにしている。
【００２５】
図３にも示すように、ケーシング２１は後面が開口した略直方体の箱形に形成され、この後面開口は、板状の蓋体２２によって閉鎖されるようになっている。また、ケーシング２１の前面裏側には支持凹部２１ｃが形成され、蓋体２２には前記支持凹部２１ｃと同軸心状に支持孔２２ａが形成されている。
支点軸２０は、前記支持凹部２１ｃ及び支持孔２２ａに軸受部材１９を介して挿入されることでケーシング２１に回動自在に支持されており、よって、ロック部材１６は、支点軸２０を中心とした片持ち支持状態で、且つこの支点軸２０まわりで揺動自在に保持されたものとなっている。
【００２６】
そして、ロック部材１６のロック位置は図２中に２点鎖線で示した水平横突出状態とされ、ドア２の開き側（室外側）へと突出することによってその開動を阻止するものとなっており、アンロック位置は図２中で破線で示した下垂位置とされ、ドア２の開き側から退避してその開動を許容するものとなっている。
ドア錠１としての全体には、ロック部材１６がアンロック位置にあるときにその全部が外部から見えない状態に収納されるように、前記ケーシング２１によって覆われている。また、このケーシング２１にはロック部材１６の上記ロック動作（揺動動作）を許容するための側面開口２１ａが設けられている。
【００２７】
なお、ロック部材１６をケーシング２１に対して揺動自在に支持することによってロック動作を可能にしているため、アンロック位置では細幅のケーシング２１内（縦桟５に装着することから必然的に細幅となる）に納めることが可能であり、ロック位置ではケーシング２１から大きく突出させてドア２の開動を好適に阻止することができるのである。
【００２８】
施解錠部１７は、上記したロック部材１６のロック動作を必要に応じて制限するものである。この施解錠部１７は、キー（図示略）を受ける差込部２３を有しており、この差込部２３へキーを差し込んで回動するといったキー操作により、施錠と解錠との切替操作を可能にしている。
本第１実施形態の場合、施解錠部１７は、ケーシング２１からその正面方向へ突出する状態をバネ２９（図３参照）によって付勢保持されるようにして出没自在となるボタン部２４を有したものとなっており、差込部２３はこのボタン部２４と一緒に出没する。
【００２９】
そして、この差込部２３へキーを差し込み、且つ押さえ込んだままの状態（ボタン部２４を没下させた状態）にしないと、キーの回動（即ち、キー操作）ができないようになっている。
すなわち、図３に示すように、差込部２３の後端部には、四角形状の一辺を円弧状に形成した位置決め片７０が設けられ、蓋体２２には、位置決め片７０が嵌合可能となるように適合した形状の位置決め孔７１が設けられており、ロック部材１６がロック位置又はアンロック位置にあるときに、位置決め片７０が位置決め孔７１と同一方向を指向して嵌合可能となり、嵌合することによってキーの回動（差込部２３の回動）を規制するようになっている。
【００３０】
そして、前記ボタン部２４とともに差込部２３を押し込むと、位置決め片７０が位置決め孔７１から後方へ離脱するため、キーの回動操作が行えるようになるのである。
このようにキー操作をしたとき、差込部２３の回動がギヤ機構（動作機構）３１を介してロック部材１６に伝達され、このロック部材１６が上記のロック動作（揺動動作）をするものとなっている。
【００３１】
そして、ロック部材１６がロック位置又はアンロック位置となった状態で差込部２３からキーを引き抜くと、ボタン部２４（この差込部２３）がケーシング２１に対して突出状態に戻るとともに、位置決め片７０が位置決め孔７１に嵌合し、ロック部材１６のロック動作後の状態がロック（位置決め）されるようになっている。
【００３２】
なお、前記ギヤ機構３１は、差込部２３の後端に一体回動自在に設けられた原動ギヤ２５と、ケーシング２１の前面裏側及び蓋体２２に回動自在に支持された支軸７２に設けられた大ギヤ２６及び小ギヤ２７と、ロック部材１６の支点軸２０のまわりに設けられたセクタギヤ２８とを有している。
そして、原動ギヤ２５を大ギヤ２６に噛合し、小ギヤ２７をセクタギヤ２８に噛合することによって、差込部２３の回動をロック部材１６に伝達することができるようになっている。
【００３３】
前記ケーシング２１において、支点軸２０を回動自在に支持する前記支持凹部２１ｃ及び支持孔２２ａは、左右方向に長く形成されており、支点軸２０の若干の左右移動（軸心に直交する横方向移動）を許容するものとなっている。
そして、本実施形態のドア錠１は、図４に示すように、ロック部材１６がロック位置にあるとき、このロック部材１６とケーシング２１とを直接的に係合させることによってロック部材１６の姿勢をより強固に保持する保持手段７３を具備したものとなっている。
【００３４】
この保持手段７３は、ケーシング２１の側面裏側に設けられた係合片（係合部）７４と、ロック部材１６の基端部に形成されていて前記係合片７４に係合可能な係合溝（被係合部）７５とを有している。
前述した差込部２３の回動操作によってロック部材１６を下垂状態のアンロック位置からロック位置へ向けて揺動すると、図４（ａ）の実線及び図５の２点鎖線に示すように、ロック部材１６は、水平横突出状態となったときに側面開口２１ａの上端縁２１ｄに当接してその揺動が規制されるようになっている。
【００３５】
そして、さらに差込部２３を回動操作すると、図４（ｂ）に示すように、ギヤ機構３１を介してロック部材１６が水平の状態を保ったままケーシング２１内に引き込まれ、その基端部の係合溝７５に係合片７４が係合するようになっている。
したがって、ロック部材１６は、前記位置決め片７０と位置決め孔７１との嵌合で差込部２３の回動をロックすることにより間接的にロック位置に保持されるだけでなく、保持手段７３を介しケーシング２１によって直接的にロック位置に保持されるため、バールやハンマー等の工具を用いて無理矢理にロック部材１６を解錠方向へこじ開けようと（押し下げようと）しても容易には解錠することができず、施錠機能をより一層高めたものとなっているのである。
【００３６】
また、ロック部材１６を解錠方向へ無理矢理に押し下げようとした場合でも、ギヤ機構３１には負荷が付与されないため、該ギヤ機構３１の損傷を防止することができるようになる。
更に、ギヤ機構３１は、キー（差込部２３）の一連の回動操作によって、ロック部材１６を揺動動作させるだけでなく、この揺動方向とは異なる水平方向へも移動させて保持手段７３を機能させることができるため、この水平方向移動をさせるための機構を別途加える必要もなくなり、構造の簡素化が図られるものとなっている。
【００３７】
なお、ロック位置からアンロック位置へと解錠動作する場合は、上記と逆の動作をすることによって、係合溝７５から係合片７４を離脱し、ロック部材１６を水平横突出状態から下垂状態へと姿勢変更することができる。
また、ケーシング２１に設けた係合部７４を係合溝とし、ロック部材１６に設けた被係合部７５を係合溝に嵌合する係合片とすることもできる。
【００３８】
以上に説明したドア錠１によれば、アタッチメント７の取付部９が傾斜構造を有しているため、この差込部２３は、ドア２の正面に立った操作者側へ指向するように設けられている。ここで言う操作者側とは、ドア２の正面から真っ直ぐ突出する方向ではなく、ドア枠３の一方の縦桟５からドア２の幅方向中心部の前方へ斜めに向く方向（図１や図６で言えば左斜め下方）を言う。
【００３９】
このため、ドア錠１の差込部２３に対してキーを差し込んだり、差し込んだ後のキーをキー操作（回動）したりすることが、ドア枠３の側方の壁面３０（図６参照）などに干渉することなく容易に行えるようになる。
このような構成のドア錠１は、例えば玄関ドアなどにおいて使用すれば、ドア２の把手４の周辺に当初から設けられている本錠とは別に、これに対する補助錠として機能させることができ、いわゆる２重ロックとしてピッキングの被害から住宅を保護することができることになる。
【００４０】
図７及び図８は、本発明に係るドア錠１の第２実施形態を示している。
この第２実施形態において、上記第１実施形態と最も異なるところは、上下部で一対の保持片３３を突出させたアタッチメント３４の使用により、両保持片３３間に縦軸として設けられる揺動軸３５を支点として、このまわりでロック部材１６が左右方向へ開閉揺動自在に保持されたものとなっている点にある。
【００４１】
また、このロック部材１６に対して施解錠部１７が組み込まれた構造となっている。
すなわち、この第２実施形態では、ロック部材１６自体を手で操作して揺動させ、これをもってロック位置とアンロック位置との間でのロック動作とさせるものである。
【００４２】
また、施解錠部１７は、キー（図示略）を受ける差込部２３を有したものとなっているが、ロック部材１６をロック位置（図８の状態）へ位置付けたときには、施解錠部１７もこれと一緒に動作（揺動軸３５まわりで揺動）して、この差込部２３がドア２側に被さるような位置付けとされるようになっている。
そして、この差込部２３に対し、これと一体に回動するブレーキ片３６が設けられている。このブレーキ片３６は、ロック部材１６を上記のロック位置にした状態（図８参照）で差込部２３へキーを差し込んでキー操作したときに、ドア枠３の縦桟５側へ当接するようになっている。
【００４３】
従って、このようにブレーキ片３６が縦桟５に当接していると、ロック部材１６が揺動軸３５まわりで回動することができなくなるというものである。
上記ブレーキ片３６には、縦桟５との当接によって縦桟５に傷がつくのを防止するための弾性片（ゴム等）を設けておくのが好適である。
なお、アタッチメント３４をドア枠３へ取り付ける構造等は第１実施形態と同じとすればよい。
【００４４】
このような第２実施形態のドア錠１では、ロック部材１６をアンロック位置にしているとき（即ち、解錠時）には施解錠部１７の差込部２３が外から見えず、このドア錠１の存在を悟られずに済むし、差込部２３に対しての悪戯等を防止できる等の利点がある。
また、キー操作をするときは、必然的に施解錠部１７の差込部２３がドア２の方へ飛び出してくるような状態になるので、このキー操作が容易であるという利点もある。
【００４５】
図９及び図１０は、本発明に係るドア錠１の第３実施形態を示している。
この第３実施形態は、上記第１実施形態（図１乃至図６参照）とよく似た例であるが、ロック部材１６のロック動作が揺動ではなく、左右移動（直線移動）になっている点で異なっている。また、施解錠部１７は、ケーシング２１に対して出没自在となるようなボタン部（図１乃至図６中の符号２４に相当するもの）は有していない。
【００４６】
ロック部材１６に上記の左右移動を行わせるため、施解錠部１７ではカム構造を採用してある。
すなわち、差込部２３にはこれと一体回動するカム駆動円板３８が設けられており、このカム駆動円板３８には偏心ピン３９が突設されている。そして、これに対してロック部材１６には、上下に長い長孔４０が形成され、この長孔４０にカム駆動円板３８の偏心ピン３９が嵌められる構造となっている。
【００４７】
なお、図示は省略するが、このようなカム構造の他に、ラックとピニオンギヤとの組み合わせ構造を採用しても、ロック部材１６に上記の左右移動を行わせることができる。
図１１は、本発明に係るドア錠１の第４実施形態を示している。
この第４実施形態は、ロック部材１６がその下端部を貫通状に設けられた振り子軸４３を支点として、その上方側で左右揺動自在とされ、そのうえでこのロック部材１６に対して施解錠部１７が組み込まれた構造となっている。
【００４８】
従って、このロック部材１６のロック位置は図１１中に二点鎖線で示したドア２側への傾斜位置であり、アンロック位置は図１１中に実線で示した直立位置である。
そして、ドア錠１としての全体には、ロック部材１６がアンロック位置にあるときにその殆どが外部から見えない状態に収納されるように、ケーシング２１によって覆われている（図１１ではケーシング２１の正面部を破断して示してある）。このケーシング２１にはロック部材１６の上記ロック動作を許容するための側面開口２１ａが設けられている。
【００４９】
すなわち、この第４実施形態では、ロック部材１６自体を手で操作して揺動させ、これをもってロック位置とアンロック位置との間でのロック動作とさせるものである。
ロック部材１６には、このときに指を引っ掛けるための指掛け部４４が、ケーシング２１の上方へ突出するかたちで設けられており、ケーシング２１にはこの指掛け部４４の出入りを許容するための上面開口２１ｂが設けられている。
【００５０】
施解錠部１７は、キー（図示略）を受ける差込部２３を有したものとなっているが、ロック部材１６をロック位置に位置付けたときには、施解錠部１７もこれと一緒に動作（振り子軸４３まわりで揺動）して、この差込部２３がケーシング２１からドア２側に飛び出すようになっている。
そして、この差込部２３に対し、これと一体に回動するブレーキ片３６が設けられている。このブレーキ片３６は、ロック部材１６をロック位置にした状態で差込部２３へキーを差し込んでキー操作したときに、ロック部材１６の傾斜方向とは反対側（図１１右方）へ傾斜してケーシング２１の内側面に当接するようになっている。
【００５１】
このようなブレーキ片３６の傾斜状態は、差込部２３からキーを引き抜くと固定される構造となっている。
従って、このようにブレーキ片３６がケーシング２１の内側面に当接していると、ロック部材１６が振り子軸４３まわりで揺動することができなくなるというものである。これによって、ロック部材１６のロック動作後の状態も、ロックされることになる。
【００５２】
なお、振り子軸４３の周部にはバネ４５が設けられており、このバネ４５がロック部材１６をロック位置からアンロック位置へ向けて戻すように付勢している。
このような第４実施形態のドア錠１では、ロック部材１６をアンロック位置にしているとき（即ち、解錠時）には施解錠部１７の差込部２３がケーシング２１内に隠されて外から見えず、このドア錠１の存在を悟られずに済むし、差込部２３に対しての悪戯等を防止できる等の利点がある。
【００５３】
また、キー操作をするときは、必然的に施解錠部１７の差込部２３がドア２の方へ飛び出してくるような状態になるので、このキー操作が容易であるという利点もある。
図１２は、本発明に係るドア錠１の第１比較例を示している。
この第１比較例において、施解錠部１７は直方体状に形成されており、これに対してロック部材１６は、施解錠部１７の直方体にガタツキなく外嵌可能な箱形に形成されている。
【００５４】
そして、このロック部材１６は、実際に施解錠部１７に対して外嵌されたものとなっており、この外嵌の程度を深くしたり（押し込んだり）浅くしたり（引き出したり）できるように摺動自在であって、しかし通常の使用で外嵌が外れることはない、即ち、摺動のストロークが固定される構造となっている。
施解錠部１７は、ドア枠３の縦桟５に固定され、このときロック部材１６がドア２側へ向けて押し引きできるような向きに取り付けられる。
【００５５】
従って、このロック部材１６のロック位置は図１２中に二点鎖線で示したドア２側への突出位置であり、アンロック位置は図１２中に実線で示したドア枠３側への退避位置である。
そして、上記施解錠部１７には、ロック部材１６が外嵌程度を深くしたとき（押し込まれたとき）にはロック部材１６に隠され、且つ、ロック部材１６が外嵌程度を浅くしたとき（引き出されたとき）には、ロック部材１６に形成された切欠４８を通して外から見えるような位置付けで、キー（図示略）を受ける差込部２３が設けられている。
【００５６】
この差込部２３は、ロック部材１６の外嵌程度を浅くして（引き出して）切欠４８が合致したときに、この切欠４８の内方で正面方向へ突出する状態を付勢保持されるようにして出没自在とされている。このときの突出状態は、この差込部２３へキーを差し込みつつキー操作しないと、押さえ込む（没下させる）ことができない構造になっている。
【００５７】
すなわち、このキー操作をしなければ、一旦、外嵌程度を浅くした（引き出された）ロック部材１６は、元の外嵌程度を深くした状態（押し込んだ状態）に戻せない構造になっている。
このように、この第１比較例では、ロック部材１６自体を手で操作して摺動させ、これをもってロック位置とアンロック位置との間でのロック動作とさせ、ロック位置で自動的にロック状態となり、そのうえでキー操作をしてロック状態を解除する、というものである。
【００５８】
なお、ロック部材１６には、これを摺動するときに指を引っ掛けるための指掛け部５０が、上下両側へ突出するかたちで設けられている。
図１３は、本発明に係るドア錠１の第２比較例を示している。
この第２比較例は、上記第１比較例（図１２参照）と略同じ原理に基づくものであるが、ロック部材１６が直方体状に形成されており、これに対して施解錠部１７がロック部材１６に一体的に組み込まれ、なお且つ、ロック部材１６は箱形に形成されたケーシング５３に対してガタツキなく内嵌された構造である点が大きな差異になっている。
【００５９】
そして、このロック部材１６は、ケーシング５３に対する内嵌の程度を深くしたり（押し込んだり）浅くしたり（引き出したり）できるように、所定ストローク内で摺動自在となっている。
ケーシング５３は、ドア枠３の縦桟５に固定され、このときロック部材１６がドア２側へ向けて押し引きできるような向きに取り付けられる。
【００６０】
その他の細部の動きや作用効果等は、上記第１比較例（図１２参照）と略同じである。
図１４乃至図１６は、本発明に係るドア錠１の第５実施形態を示している。
この第５実施形態は、基本的には、上記した第３実施形態（図９及び図１０参照）のドア錠１をドア２側へ設けたものと言うことができる。
【００６１】
従って、当然に、ドア枠３の縦桟５には、ドア２側から側方へ向けて突出するようにロック動作するロック部材１６に対して、これを横差し込み状に受け入れ可能としたストライク部５５が設けられることになる。
ただ、このようにストライク部５５が設けられる他にも、この第５実施形態では、第３実施形態とはケーシング２１の構造として次の点で差異点がある。
【００６２】
すなわち、この第５実施形態のドア錠１が有するケーシング２１は、ドア２に対して取り付けられている施解錠部１７を覆うだけでなく、更にドア枠３の縦桟５側へも延び出して、上記ストライク部５５をも覆い隠せるようになったカバー部材５６を一体的に具備したもの（ケーシング２１としてそれだけの大きさを有したもの）となっている。
【００６３】
勿論、このストライク部５５を覆い隠す部分は、このストライク部５５を収納可能な状態に裏面側が開放されている。
このようなことから、ドア２が閉じているときであれば、ロック部材１６がロック位置にあろうがアンロック位置にあろうが、いずれもカバー部材５６に覆われて、外部から見えないことになる。
【００６４】
そのため、このドア錠１が施錠状態にあるか解錠状態にあるかかが判らないため、結果として、留守であるか在宅中であるかの判断に繋がらないという利点がある。
なお、図１６に示すように、本第５実施形態において施解錠部１７は、差込部２３に対して、これと一体回動するカム駆動体５８を具備したものとなっている。このカム駆動体５８は、恰もクレセント錠を正面向きにさせたような螺旋型を呈しており、その外周部には螺旋形に沿ってカムレール５７が突設されている。
【００６５】
これに対して、ロック部材１６には、カム駆動体５８のカムレール５７に対してその一部を挟み込んだ状態で、且つその螺旋方向に沿った摺動を可能にした摺動ガイド部６０が設けられている。
従って、差込部２３へキーを差し込み、キー操作すると、差込部２３と共にカム駆動体５８が回動し、これに合わせてロック部材１６が左右移動によるロック動作をするものとなっている。
【００６６】
なお、本第５実施形態の施解錠部１７には、図１６に示した構造に代えて、図１７に示すようなカム構造を採用することもできる。
この図１７に示した施解錠部１７は、差込部２３に対して、これと一体回動するカム駆動円板６１が設けられており、このカム駆動円板６１には偏心ピン６２が突設されている。
【００６７】
そして、これに対してロック部材１６には、上下に長い長孔６３が形成され、この長孔６３にカム駆動円板６１の偏心ピン６２が嵌められる構造となっている。
なお、図示は省略するが、このようなカム構造の他に、ラックとピニオンギヤとの組み合わせ構造を採用しても、ロック部材１６に上記の左右移動を行わせることができる。
【００６８】
図１８は、本発明に係るドア錠１の第３比較例を示している。
この第３比較例も、ドア錠１をドア２側へ設けたものである。
本第３比較例では、施解錠部１７の差込部２３へキー（図示略）を差し込んで、このキーを摘みとして利用しつつ、そのまま施解錠部１７と共にロック部材１６をロック動作（左右移動）させるようにしたものである。キー操作は、このロック動作の前に行うようにしてもよいし、ロック動作の後に行うようにしてもよい。
【００６９】
ところで、本発明は、上記した各実施形態に限定されるものではなく、実施の形態に応じて適宜変更可能である。
勿論、ドア２については、木製や金属製等、何ら限定されるものではない。
また、ドア２は、左開きであるか右開きであるかとか、内開きであるか外開きでありかとかの条件が限定されるものでもない。
【００７０】
【発明の効果】
以上の説明から明らかなように、本発明に係るドア錠では、ドア又はドア枠に取り付けたまま、ロック部材をロック位置とアンロック位置との間でロック動作させる構造にしており、使用に際しての煩わしさや不便性は払拭される。
また、本発明に係るドア錠では、施錠状態にあるか解錠状態にあるかが外から判りにくいようにでき、ピッキングや悪戯等の防止に役立つ。
【００７１】
また、本発明にかかるドア錠では、ロック部材をロック位置へとロック動作したときに、該ロック部材をケーシングに対して直接的に係合させることでその姿勢を保持する保持手段を備えているため、ロック部材を解錠方向へと無理矢理にこじ開けようとしても容易には解錠できなくなり、施錠効果をより一層高めることが可能となる。
【図面の簡単な説明】
【図１】  図２のＡ−Ａ線拡大断面図である。
【図２】  本発明に係るドア錠の第１実施形態を示す正面図である。
【図３】  （ａ）はドア錠の側面断面図、（ｂ）は蓋体を外した状態の背面図である。
【図４】  ロック部材のロック動作を示す正面図（一部断面図）である。
【図５】  ドア錠の斜視図である。
【図６】  ドア錠の使用状況を説明した平面図である。
【図７】  本発明に係るドア錠の第２実施形態を示す平面図である。
【図８】  第２実施形態のドア錠における使用状況を説明した正面図である。
【図９】  本発明に係る第３実施形態のドア錠を示す正面図である。
【図１０】  図９の平面断面図である。
【図１１】  本発明に係る第４実施形態のドア錠を示す正面断面図である。
【図１２】  本発明に係る第１比較例のドア錠を示す正面図である。
【図１３】  本発明に係る第２比較例のドア錠を示す正面図である。
【図１４】  本発明に係る第５実施形態のドア錠を示す正面図である。
【図１５】  図１４の拡大平面断面図である。
【図１６】  図１５のＣ−Ｃ線矢視拡大図である。
【図１７】  本発明に係る第５実施形態のドア錠において採用し得る図１６とは別構造の施解錠部を示す正面図である。
【図１８】  本発明に係る第３比較例のドア錠を示す斜視図である。
【符号の説明】
１    ドア錠
２    ドア
３    ドア枠
７    アタッチメント
１６    ロック部材
１７    施解錠部
２１    ケーシング
２３    差込部
３１    ギヤ機構（動作機構）
５６    カバー部材
７３    保持手段
【図１】
0004598931.tif 000002
【図２】
0004598931.tif 000003
【図３】
0004598931.tif 000004
【図４】
0004598931.tif 000005
【図５】
0004598931.tif 000006
【図６】
0004598931.tif 000007
【図７】
0004598931.tif 000008
【図８】
0004598931.tif 000009
【図９】
0004598931.tif 000010
【図１０】
0004598931.tif 000011
【図１１】
0004598931.tif 000012
【図１２】
0004598931.tif 000013
【図１３】
0004598931.tif 000014
【図１４】
0004598931.tif 000015
【図１５】
0004598931.tif 000016
【図１６】
0004598931.tif 000017
【図１７】
0004598931.tif 000018
【図１８】
0004598931.tif 000019